(57)【要約】【課題】相手の位置が相手の意志とは無関係に明確に表示されることを防ぎ、プライバシーの保護を的確に行い、出会いを支援する通信端末装置を提供すること。【解決手段】本発明の通信端末装置は、測位信号により現在の位置を検出する位置検出部１３と、データが入力されるデータ入力部１６と、位置のデータとデータの送受信が行われる通信部１５と、通信部１５で送受信が行われるとき、相手の端末の位置が所定の範囲で地図上に表示される表示部１８とを備えた構成を有している。【選択図】      図１
2004240124.tif 000002
【特許請求の範囲】
【請求項１】
現在の位置を検出する位置検出部と、ユーザデータが入力されるユーザデータ入力部と、前記現在の位置のデータと前記ユーザデータの送受信を行う通信部と、前記通信部で送受信が行われるとき、特定の相手の端末の位置が所定の範囲で地図上に表示される表示部とを備えたことを特徴とする通信端末装置。
【請求項２】
前記通信部が、不特定多数の相手の端末と前記通信が行われ、前記不特定多数の相手の端末の位置が、前記所定の範囲で前記表示部の地図上に表示されることを特徴とする請求項１に記載の通信端末装置。
【請求項３】
前記不特定多数の相手のユーザデータが、表示マークの形や色によって年齢や性別が区別され、前記表示部の前記不特定多数の相手の端末の位置に表示されることを特徴とする請求項２に記載の通信端末装置。
【請求項４】
前記表示マークが前記表示部で指定されたとき、前記指定された相手と音声通信部によっての音声通話や電子メール通信部によっての電子メールで通信が行われることを特徴とする請求項３に記載の通信端末装置。
【請求項５】
前記指定された相手と音声通話や電子メールで通信が行われるとき、前記指定された相手の番号やＩＤやメールアドレスの個人認識手段を非表示とすることを特徴とする請求項４に記載の通信端末装置。
【請求項６】
前記相手の位置または前記相手が指定した位置までのルートを算出することを特徴とする請求項４に記載の通信端末装置。
【請求項７】
前記表示部に表示される相手の端末の位置が、指定された地図上の表示範囲に表示されることを特徴とする請求項１に記載の通信端末装置。
【請求項８】
前記不特定多数の相手の端末の位置が、性別ごとや予め定めた年齢ごとに前記表示部に表示されることを特徴とする請求項３に記載の通信端末装置。
【請求項９】
前記通信端末装置を車載用端末や携帯用端末としたことを特徴とする請求項１から請求項８までの何れかに記載の通信端末装置。
【請求項１０】
前記所定の範囲が、都道府県または市町村で地図上に表示されることを特徴とする請求項１から請求項９までの何れかに記載の通信端末装置。
【請求項１１】
前記所定の範囲が、あらかじめ定めた半径の円で地図上に表示されることを特徴とする請求項１から請求項９までの何れかに記載の通信端末装置。
【請求項１２】
前記表示部が、前記相手の端末の位置が前記所定の範囲にあった時間を表示することを特徴とする請求項１から請求項９までの何れかに記載の通信端末装置。
【発明の詳細な説明】
【０００１】
【発明の属する技術分野】
本発明は、位置情報と個人データを送受信する通信端末装置に関する。
【０００２】
【従来の技術】
この種の位置情報と個人データを送受信する従来の通信端末装置は、携帯電話とカーナビゲーションが用いられ、相手の位置情報を画面表示するものが提案されている（例えば、特許文献１参照）。
【０００３】
図１６は、位置情報と個人データを送受信する従来の通信端末装置の構成図を示す。
【０００４】
図１６に示すように、この従来の通信端末装置は、位置情報と個人データの送受信が行われるとき、相手の通信端末装置の位置を画面に表示するものである。
【０００５】
携帯電話端末１で受信した着信情報は、ディスプレイ２に表示され、携帯電話端末１と相手側の通信端末装置との通話は、スピーカ３とマイク４が用いられ、ハンズフリーで行われる。ナビゲーション本体５は、携帯電話端末１による受信情報から相手側の通信端末装置の位置を認識し、この認識した相手側の通信端末装置の位置に対応する地図を検索し、この検索した地図と相手側の通信端末装置の位置とをディスプレイ２に表示する。
【０００６】
【特許文献１】
特開２０００−２７５０５６号公報（第１図）
【０００７】
【発明が解決しようとする課題】
しかしながら、従来の通信端末装置では、相手の位置が、相手の意志とは無関係に明確に表示されてしまうという問題があった。
【０００８】
本発明は、このような従来の問題を解決するためになされたもので、相手の位置が相手の意志とは無関係に明確に表示されることを防ぎ、プライバシーの保護を的確に行うことができる通信端末装置を提供するものである。
【０００９】
【課題を解決するための手段】
本発明の通信端末装置は、現在の位置を検出する位置検出部と、ユーザデータが入力されるユーザデータ入力部と、前記現在の位置のデータと前記ユーザデータの送受信を行う通信部と、前記通信部で送受信が行われるとき、特定の相手の端末の位置が所定の範囲で地図上に表示される表示部とを備えた構成を有している。この構成により、相手の位置が相手の意志とは無関係に明確に表示されることを防ぎ、プライバシーの保護を的確に行うことができる。
【００１０】
また、前記通信部が、不特定多数の相手の端末と前記通信が行われ、前記不特定多数の相手の端末の位置が、前記所定の範囲で前記表示部の地図上に表示される構成を有している。この構成により、特定の相手のみならず、不特定多数の人とコミュニケーションを行うことができる。
【００１１】
また、前記不特定多数の相手のユーザデータが、表示マークの形や色によって年齢や性別が区別され、前記表示部の前記不特定多数の相手の端末の位置に表示される構成を有している。この構成により、不特定多数の相手の年齢や性別が表示マークによって区別され、希望する相手を容易に選ぶことができる。
【００１２】
また、前記表示マークが前記表示部で指定されたとき、前記指定された相手と音声通信部によっての音声通話や電子メール通信部によっての電子メールで通信が行われる構成を有している。この構成により、音声通信や電子メールによって、相手とコミュニケーションを的確に行うことができる。
【００１３】
また、前記指定された相手と音声通話や電子メールで通信が行われるとき、前記指定された相手の番号やＩＤやメールアドレスの個人認識手段を非表示とする構成を有している。この構成により、番号やＩＤやメールアドレスが非表示であるため、コミュニケーションがうまくいかないときに、所在を知られることを避けることができる。
【００１４】
また、前記相手の位置または前記相手が指定した位置までのルートを算出する構成を有している。この構成により、指定された位置までのルートが表示され、容易に相手と会うことができる。
【００１５】
また、前記表示部に表示される相手の端末の位置が、指定された地図上の表示範囲に表示される構成を有している。この構成により、相手の端末の位置が表示される表示範囲を指定でき、相手の場所を探しやすくすることができる。
【００１６】
また、前記不特定多数の相手の端末の位置が、性別ごとや予め定めた年齢ごとに前記表示部に表示される構成を有している。この構成により、性別や年齢別に検索ができ、不要なデータを検索する必要が無くなり検索の効率を良くすることができる。
【００１７】
また、前記通信端末装置を車載用端末や携帯用端末とした構成を有している。この構成により、車載用端末とした場合は、相手のいる場所まで車両で容易に向かうことができ、また、携帯用端末とした場合は、持ち運びが便利となり、場所にとらわれず容易に利用することができる。
【００１８】
また、前記所定の範囲が、都道府県または市町村で地図上に表示される構成を有している。この構成により、相手のおおよその端末の位置のみを知ることができ、プライバシーの保護を的確に行うことができる。
【００１９】
また、前記所定の範囲が、あらかじめ定めた半径の円で地図上に表示される構成を有している。この構成により、相手のおおよその端末の位置のみを知ることができ、プライバシーの保護を的確に行うことができる。
【００２０】
さらに、前記表示部が、前記相手の端末の位置が前記所定の範囲にあった時間を表示する構成を有している。この構成により、相手の所在状況を的確に知ることができる。
【００２１】
【発明の実施の形態】
以下、本発明の実施の形態について、図面を用いて説明する。
【００２２】
図１は、本発明の第１の実施の形態の通信端末装置である出会い支援端末装置の構成図を示す。
【００２３】
図１に示すように、本発明の第１の実施の形態の出会い支援端末装置は、グローバル・ポジショニング・システム（以下、単にＧＰＳという）アンテナ１１によって受信される信号を復調するＧＰＳ受信機１２と、現在の位置を検出する位置検出部１３と、地図データを記憶している地図データ記憶部１７と、各種のデータ処理をするデータ処理部１４と、所定の範囲で位置の表示と個人データの表示をする表示部１８と、個人データが入力される個人データ入力部１６と、位置データと個人データを送受信する通信部１５とで構成されている。
【００２４】
図２は、本発明の第１の実施の形態の通信端末装置である出会い支援端末装置のフローチャートを示す。
【００２５】
本発明の第１の実施の形態の出会い支援端末装置の動作について、図１と図２とを用いて説明する。ＧＰＳアンテナ１１は、ＧＰＳ衛星から電波を受信し、受信した自分の位置信号をＧＰＳ受信機１２に送る（ステップＳ１１）。ＧＰＳ受信機１２は、ＧＰＳアンテナ１１が受信した位置信号を復調して、位置検出部１３に送る（ステップＳ１２）。位置検出部１３は、ＧＰＳ受信機１２が復調した位置信号から位置を決定し、データ処理部１４に位置データを送り（ステップＳ１３）、データ処理部１４は、位置検出部１３からの位置データと地図データ記憶部１７からの地図データとを重畳して、表示部１８へ送り（ステップＳ１４）、表示部１８は、地図上に自分の端末の位置を表示する（ステップＳ１５）。
【００２６】
個人データ入力部１６には、個人データが入力される（ステップＳ１６）。通信部１５は、自分の端末の位置データと個人データを特定の相手の端末に送信すると共に、送信されてきた相手の端末の位置データと個人データを受信しデータ処理部１４に送る（ステップＳ１７）。データ処理部１４では、通信部１５で受信した相手の端末の位置と地図データ記憶部１７からの地図データを重畳して、相手の端末の位置を含む所定の範囲（例えば、エリアである市、町、村、区など）で示す位置データを作成する（ステップＳ１８）。表示部１８は、データ処理部１４からのデータにより、地図上に所定の範囲で相手の端末の位置と、相手の個人データを表示する（ステップＳ１９）。
【００２７】
以上のように、本発明の第１の実施の形態の出会い支援端末装置は、相手の直接的な端末の位置ではなく、所定の範囲で相手の端末の位置が表示されるため、相手の端末の位置が相手の意志とは無関係に明確に表示されることはなく、プライバシーの保護を的確に行うことができる。なお、通信を行っているとき自分の意思で、自分の詳細の端末の位置を知らせるようにすることもできる。
【００２８】
図３は、本発明の第２の実施の形態の通信端末装置である出会い支援端末装置の構成図を示す。
【００２９】
図３に示すように、本発明の第２の実施の形態の出会い支援端末装置は、本発明の第１の実施の形態の出会い支援端末装置とは、不特定多数の相手の端末と通信する不特定多数通信部２５と、不特定多数データ処理部２４とが異なり、その他の構成は図１と同様である。
【００３０】
図４は、本発明の第２の実施の形態の通信端末装置である出会い支援端末装置のフローチャートを示す。
【００３１】
本発明の第２の実施の形態の出会い支援端末装置の動作について、図３と図４とを用いて説明する。（ステップＳ２１）より（ステップＳ２６）までは、図２の（ステップＳ１１）より（ステップＳ１６）までと同様のステップのため、その説明は省略する。
【００３２】
不特定多数通信部２５は、自分の端末の位置データと個人データを不特定多数の相手の端末に送信すると共に、送信されてきた不特定多数の相手の端末の位置データと個人データを受信し不特定多数データ処理部２４に送る（ステップＳ２７）。不特定多数データ処理部２４は、不特定多数通信部２５で受信した不特定多数の相手の端末の位置データと地図データ記憶部１７からの地図データを重畳して、不特定多数の相手の端末の位置を所定の範囲で示す位置データを作成する（ステップＳ２８）。
【００３３】
表示部１８は、不特定多数データ処理部２４から位置データにより、地図上に所定の範囲で不特定多数の相手の端末の位置とその個人データを表示する（ステップＳ２９）。
【００３４】
以上のように、本発明の第２の実施の形態の出会い支援端末装置は、特定の相手のみならず、不特定多数の人とコミュニケーションを容易に行うことができる。
【００３５】
図５は、本発明の第３の実施の形態の通信端末装置である出会い支援端末装置の構成図を示す。
【００３６】
図５に示すように、本発明の第３の実施の形態の出会い支援端末装置は、本発明の第２の実施の形態の出会い支援端末装置とは、個人データの表示に表示マークが使用される表示マーク表示部３８が異なり、その他の構成は図３と同様である。
【００３７】
図６は、本発明の第３の実施の形態の通信端末装置である出会い支援端末装置のフローチャートを示す。
【００３８】
本発明の第３の実施の形態の出会い支援端末装置の動作について、図５と図６とを用いて説明する。（ステップＳ３１）より（ステップＳ３８）までは、図４の（ステップＳ２１）より（ステップＳ２８）までと同様のステップのため、その説明は省略する。
【００３９】
表示マーク表示部３８は、不特定多数データ処理部２４からの不特定多数の相手の端末の所定範囲の位置に、不特定多数の相手の個人データを表示マークの形や色によって年齢や性別を区別して表示する（ステップＳ３９）。
【００４０】
以上のように、本発明の第３の実施の形態の出会い支援端末装置は、不特定多数の相手の年齢や性別が表示マークによって区別されて表示され、希望する相手を容易に選ぶことができる。
【００４１】
図７は、本発明の第４の実施の形態の通信端末装置である出会い支援端末装置の構成図を示す。
【００４２】
図７に示すように、本発明の第４の実施の形態の出会い支援端末装置は、本発明の第３の実施の形態の出会い支援端末装置に音声通信部４１と電子メール通信部４２が追加されたものであり、その他の構成は図５と同様である。
【００４３】
図８は、本発明の第４の実施の形態の通信端末装置である出会い支援端末装置のフローチャートを示す。
【００４４】
本発明の第４の実施の形態の出会い支援端末装置の動作について、図７と図８とを用いて説明する。（ステップＳ４１）より（ステップＳ４９）までは、図６の（ステップＳ３１）より（ステップＳ３９）までと同様のステップのため、その説明は省略する。
【００４５】
表示マーク指定表示部４４の表示上で不特定多数の相手の表示マークが指定されたとき、相手の端末の番号やＩＤや電子メールアドレスの個人認識手段が不特定多数データ処理部２４に送られ、不特定多数データ処理部２４は、相手の端末の番号やＩＤを非表示で音声通信部４１と接続し、相手との音声通信によるコミュニケーションが行われる。また、相手の表示マークが指定されたとき、相手の端末の番号やＩＤや電子メールアドレスの個人認識手段が不特定多数データ処理部２４に送られ、不特定多数データ処理部２４は、相手の電子メールアドレスを非表示で電子メール通信部４２と接続し、相手との電子メールのやりとりを可能とし、相手とのコミュニケーションが行われる（ステップＳ５０）。
【００４６】
以上のように、本発明の第４の実施の形態の出会い支援端末装置は、音声通信や電子メールによって、相手とコミュニケーションができ、また、端末の番号やＩＤやメールアドレスが非表示であるため、コミュニケーションがうまくいかないときに、所在を知られることを避けることができる。
【００４７】
図９は、本発明の第５の実施の形態の出会い支援端末装置の構成図を示す。
【００４８】
図９に示すように、本発明の第５の実施の形態の出会い支援端末装置は、本発明の第４の実施の形態の出会い支援端末装置に、指定された位置までのルートを算出するルート算出部５１と、会う位置が指定される位置指定部５２が追加されたものであり、その他の構成は図７と同様である。
【００４９】
図１０は、本発明の第５の実施の形態の通信端末装置である出会い支援端末装置の（ステップＳ５１）から（ステップＳ５９）までのフローチャートを示し、図１１は、本発明の第５の実施の形態の出会い支援端末装置の（ステップＳ６０）から（ステップＳ６３）までのフローチャートを示す。
【００５０】
本発明の第５の実施の形態の出会い支援端末装置の動作について、図９から図１１を用いて説明する。（ステップＳ５１）より（ステップＳ６０）までは、図８の（ステップＳ４１）より（ステップＳ５０）までと同様のステップのため、その説明は省略する。
【００５１】
相手とのコミュニケーションを行い交渉が不成立のときには（ステップＳ６１の不成立）、コミュニケーションは終了する。交渉が成立したときには（ステップＳ６１の成立）、位置指定部５２で相手と会う位置が指定され（ステップＳ６２）、不特定多数データ処理部２４で処理した位置データが不特定多数通信部２５から相手の支援端末装置に送信され、ルート算出部５１で現在地から指定された位置までのルートが算出され、不特定多数データ処理部２４により地図データと重畳され、指定された位置までのルートが表示マーク表示部３８に表示される（ステップＳ６３）。
【００５２】
以上のように、本発明の第５の実施の形態の出会い支援端末装置は、指定された位置までのルートが表示され、容易に相手と会うことができる。
【００５３】
図１２は、本発明の第６の実施の形態の通信端末装置である出会い支援端末装置の構成図を示す。
【００５４】
図１２に示すように、本発明の第６の実施の形態の出会い支援端末装置は、本発明の第１の実施の形態の出会い支援端末装置とは、表示範囲が指定される表示範囲指定表示部６８が異なり、その他の構成は図１と同様である。
【００５５】
図１３は、本発明の第６の実施の形態の通信端末装置である出会い支援端末装置のフローチャートを示す。
【００５６】
本発明の第６の実施の形態の出会い支援端末装置の動作について、図１２と図１３とを用いて説明する。ステップ（Ｓ７１）より（ステップＳ７８）までは、図２の（ステップＳ１１）より（ステップＳ１８）までと同様のステップのため、その説明は省略する。
【００５７】
表示範囲指定表示部６８は、相手の端末の位置が表示される地図上の表示範囲が指定されたとき、指定データをデータ処理部１４に送る。データ処理部１４は、指定データをもとに、地図データを重畳して指定された表示範囲の地図上の位置データを表示範囲指定表示部６８へ送信する。表示範囲指定表示部６８は、地図上に所定の範囲で相手の端末の位置と、相手の個人データとを指定された表示範囲で表示する（ステップＳ７９）。
【００５８】
以上のように、本発明の第６の実施の形態の出会い支援端末装置は、相手の端末の位置が表示される表示範囲を指定でき、相手の端末の位置を探しやすくすることができる。
【００５９】
図１４は、本発明の第７の実施の形態の通信端末装置である出会い支援端末装置の構成図を示す。
【００６０】
図１４に示すように、本発明の第７の実施の形態の出会い支援端末装置は、本発明の第２の実施の形態の出会い支援端末装置とは、指定されたデータを表示する指定データ表示部７８が異なり、その他の構成は図３と同様である。
【００６１】
図１５は、本発明の第７の実施の形態の通信端末装置である出会い支援端末装置のフローチャートを示す。
【００６２】
本発明の第７の実施の形態の出会い支援端末装置の動作について、図１４と図１５とを用いて説明する。（ステップＳ８１）より（ステップＳ８８）までは、図４の（ステップＳ２１）より（ステップＳ２８）までと同様のステップのため、その説明は省略する。
【００６３】
指定データ表示部７８は、性別や年齢や個人の特有のデータが指定されたとき指定データを不特定多数データ処理部２４に送る。不特定多数データ処理部２４は、個人データから性別や年齢別のデータを選択して、地図データと重畳して位置を算出したデータを指定データ表示部７８に送る。指定データ表示部７８は、性別ごとや、年齢ごとに相手の端末の位置を表示する（ステップＳ８９）。
【００６４】
以上のように、本発明の第７の実施の形態の出会い支援端末装置は、性別や年齢別に検索ができ、不要なデータを検索する必要が無くなり検索の効率を良くすることができる。
【００６５】
本発明の第８の実施の形態の通信端末装置である出会い支援端末装置は、本発明の第１から第７までの実施の形態の通信端末装置を車載用端末や携帯用端末としたもので、車載用端末とした場合は、相手のいる場所まで車両で容易に向かうことができ、また、携帯用端末とした場合は、持ち運びが便利となり、場所にとらわれず容易に利用することができる。
【００６６】
なお、本発明の第１から第８までの実施の形態の通信端末装置である出会い支援端末装置では、相手の位置が所定の範囲にあった時間を表示部で表示することもでき、相手の存在状況を的確に知ることもできる。
【００６７】
【発明の効果】
以上説明したように、本発明によれば、相手の位置が相手の意志とは無関係に明確に表示されることはなく、プライバシーを保護し、出会いを支援することができる。
【図面の簡単な説明】
【図１】本発明の第１の実施の形態の通信端末装置の構成図
【図２】本発明の第１の実施の形態の通信端末装置のフローチャートを示す図
【図３】本発明の第２の実施の形態の通信端末装置の構成図
【図４】本発明の第２の実施の形態の通信端末装置のフローチャートを示す図
【図５】本発明の第３の実施の形態の通信端末装置の構成図
【図６】本発明の第３の実施の形態の通信端末装置のフローチャートを示す図
【図７】本発明の第４の実施の形態の通信端末装置の構成図
【図８】本発明の第４の実施の形態の通信端末装置のフローチャートを示す図
【図９】本発明の第５の実施の形態の通信端末装置の構成図を示す図
【図１０】本発明の第５の実施の形態の通信端末装置の（ステップＳ５１）から（ステップＳ５９）までのフローチャートを示す図
【図１１】本発明の第５の実施の形態の通信端末装置の（ステップＳ６０）から（ステップＳ６３）までのフローチャートを示す図
【図１２】本発明の第６の実施の形態の通信端末装置の構成図
【図１３】本発明の第６の実施の形態の通信端末装置のフローチャートを示す図
【図１４】本発明の第７の実施の形態の通信端末装置の構成図
【図１５】本発明の第７の実施の形態の通信端末装置のフローチャートを示す図
【図１６】位置情報と個人データを送受信する従来の端末装置の構成図
【符号の説明】
１１  ＧＰＳアンテナ
１２  ＧＰＳ受信機
１３  位置検出部
１４  データ処理部
１５  通信部
１６  個人データ入力部
１７  地図データ記憶部
１８  表示部
２４  不特定多数データ処理部
２５  不特定多数通信部
３８  表示マーク表示部
４１  音声通信部
４２  電子メール通信部
５１  ルート算出部
５２  位置指定部
６８  表示範囲指定表示部
７８  指定データ表示部
【図１】
2004240124.tif 000003
【図２】
2004240124.tif 000004
【図３】
2004240124.tif 000005
【図４】
2004240124.tif 000006
【図５】
2004240124.tif 000007
【図６】
2004240124.tif 000008
【図７】
2004240124.tif 000009
【図８】
2004240124.tif 000010
【図９】
2004240124.tif 000011
【図１０】
2004240124.tif 000012
【図１１】
2004240124.tif 000013
【図１２】
2004240124.tif 000014
【図１３】
2004240124.tif 000015
【図１４】
2004240124.tif 000016
【図１５】
2004240124.tif 000017
【図１６】
2004240124.tif 000018